(57)【要約】【課題】衣類によって適切ではない防虫剤が用いられようとした時に報知を行って、衣類に被害が出る前に未然に使用者に注意を促す。【解決手段】無線ＩＣタグの情報を読み取る読取手段２と、報知手段４と、それらの制御手段３とを具備して、衣類２０に添付された無線ＩＣタグ２１ａから取得した衣類２０の素材に関する情報（衣類素材情報）と、防虫剤６に添付された無線ＩＣタグ２１ｂから取得した防虫剤６が適さない衣類素材に関する情報（禁止素材情報）とを比較して、一部もしくはすべてが一致した場合、報知手段４から、その旨を報知する。【選択図】図１
2008220637.tif 000002
【特許請求の範囲】
【請求項１】
無線ＩＣタグの情報を読み取る読取手段と、報知手段と、それらの制御手段とを具備して、
衣類に添付された無線ＩＣタグから取得した前記衣類の素材に関する情報（衣類素材情報）と、
防虫剤に添付された無線ＩＣタグから取得した前記防虫剤が適さない衣類素材に関する情報（禁止素材情報）とを比較して、
前記衣類素材情報と前記禁止素材情報との一部もしくはすべてが一致した場合、前記報知手段から、その旨を報知する衣類収納庫。
【請求項２】
前記禁止素材情報に、前記衣類素材とで使用した結果生じる被害に関する情報が合わせて記録されている請求項１記載の衣類収納庫。
【請求項３】
前記衣類と前記防虫剤の出し入れを行うための開口部と、前記開口部を閉じるための扉と、前記扉の開閉状態を検知する開閉スイッチとを具備して、
前記扉が閉じられた時点で、前記読取手段で前記無線ＩＣタグの情報を読み取って前記報知手段から報知する請求項１〜２いずれか１項に記載の衣類収納庫。
【請求項４】
前記衣類収納庫と前記扉とを電磁波遮断物質で構成した、あるいは、覆った請求項３記載の衣類収納庫。
【請求項５】
請求項１〜３のいずれか１項に記載の前記衣類収納庫の少なくとも一部をコンピュータに実行させるためのプログラム。
【発明の詳細な説明】
【技術分野】
【０００１】
本発明は、無線ＩＣタグを利用して衣類を効率的に管理する衣類収納庫と、そのプログラムに関するものである。
【背景技術】
【０００２】
近年、無線ＩＣタグ（非接触ＩＣタグ）を衣類に貼り付けておき、無線ＩＣタグ読み取り／書込み手段を収納庫に設置して在庫管理を行うことが行なわれており、更には収納庫内の環境情報を無線ＩＣタグに書き込んで保存状態を記録する方式が提案されている（例えば、特許文献１参照）。
【特許文献１】特開２００６−３１６５２５号公報
【発明の開示】
【発明が解決しようとする課題】
【０００３】
しかしながら、前記従来の構成は、衣料品にとって問題となる防虫対策に関して、衣類によって適切ではない防虫剤が用いられようとした時に報知を行って、衣類に被害が出る前に未然に使用者に注意を促すといったことは実現できていなかった。
【０００４】
例えば、ピレスロイド系の防虫剤は衣服用として使用されることが多いが、銅と反応し変色させてしまう場合があり、ブレザーのように銅（真ちゅう）製のボタンを用いた衣類には不向きであり、このような防虫剤を使っているときに衣類情報に銅を含む金属が混入した場合には、黒く腐蝕する危険性があるので、その旨を報知するといったことが望ましい。
【課題を解決するための手段】
【０００５】
そこで、前記従来の課題を解決するために、本発明の衣類収納庫においては、無線ＩＣタグの情報を読み取る読取手段と、報知手段と、それらの制御手段とを具備して、衣類に添付された無線ＩＣタグから取得した前記衣類の素材に関する情報（衣類素材情報）と、防虫剤に添付された無線ＩＣタグから取得した前記防虫剤が適さない衣類素材に関する情報（禁止素材情報）とを比較して、一部もしくはすべてが一致した場合、前記報知手段から、その旨を報知するようにした。
【発明の効果】
【０００６】
これにより、衣料品に固有の問題である防虫対策に関して、衣類によって適切ではない防虫剤が用いられようとした時に報知を行って、衣類に被害が出る前に未然に使用者に注意を促すといったことが実現可能となった。
【０００７】
例えば、ピレスロイド系の防虫剤に添付された無線ＩＣタグには銅を含む金属（真ちゅうなどのボタン）が禁止素材情報として記録されて、ブレザーに添付された無線ＩＣタグには真ちゅうが衣類素材情報として記録されていて、同時に双方が検出された場合には、その旨を報知するといったことが可能になるので、ブレザーに使用されている真ちゅう製ボタンを黒く腐蝕させてしまうことを回避するといったことが可能となる。
【０００８】
収納されている衣類に使用されている膨大な各種素材をいちいち確認することもなく、事前に報知されるので、大切な衣類を台無しにすることを回避できるものである。
【発明を実施するための最良の形態】
【０００９】
第１の発明は、本発明の衣類収納庫において、無線ＩＣタグの情報を読み取る読取手段
と、報知手段と、それらの制御手段とを具備して、衣類に添付された無線ＩＣタグから取得した前記衣類の素材に関する情報（衣類素材情報）と、防虫剤に添付された無線ＩＣタグから取得した前記防虫剤が適さない衣類素材に関する情報（禁止素材情報）とを比較して、一部もしくはすべてが一致した場合、前記報知手段から、その旨を報知するようにした。
【００１０】
これにより、衣料品に固有の問題である防虫対策に関して、衣類によって適切ではない防虫剤が用いられようとした時に報知を行って、衣類に被害が出る前に未然に使用者に注意を促すといったことが実現可能となった。例えば、ピレスロイド系の防虫剤に添付された無線ＩＣタグには銅を含む金属（真ちゅうなどのボタン）が禁止素材情報として記録されて、ブレザーに添付された無線ＩＣタグには真ちゅうが衣類素材情報として記録されていて、同時に双方が検出された場合には、その旨を報知するといったことが可能になるので、ブレザーに使用されている真ちゅう製ボタンを黒く腐蝕させてしまうことを回避するといったことが可能となる。
【００１１】
収納されている衣類に使用されている膨大な各種素材をいちいち確認することもなく、事前に報知されるので、大切な衣類を台無しにすることを回避できるものである。
【００１２】
第２の発明は、特に第１の発明の衣類収納庫において、前記禁止素材情報に、前記衣類素材とで使用した結果前記禁止素材情報に、結果生じる被害に関する情報が合わせて記録されているようにした。
【００１３】
これにより、報知する内容に予想される被害の内容を追加できるので、使用者にとってより強力な報知を行うことが出来る。
【００１４】
第３の発明は、特に第１〜２の発明の衣類収納庫において、前記衣類と、前記防虫剤の出し入れを行うための開口部と、前記開口部を閉じるための扉と、前記扉の開閉状態を検知する開閉スイッチとを具備して、前記扉が閉じられた時点で、前記読取手段で前記無線ＩＣタグの情報を読み取って前記報知手段から報知するようにした。
【００１５】
これにより、衣類、あるいは、防虫剤の出し入れのために扉の開け閉めを行なった後に、衣類収納庫の中に存在する衣類や防虫剤に添付された無線ＩＣタグの情報を読み取るので、衣類収納庫の中の衣類や防虫剤に変化があった可能性があるときにだけ、無線ＩＣタグより情報を読み取ることが出来る。
【００１６】
第４の発明は、特に第３の発明の衣類収納庫において、前記衣類収納庫と前記扉とを電磁波遮断物質で構成した、あるいは、覆った。
【００１７】
これにより、使用者自身が身につけている衣類、あるいは、衣類収納庫の庫外に存在する衣類や防虫剤に添付された無線ＩＣタグの情報を読み取るというミスをおこすことがなくなり、常に衣類収納庫の中に存在している無線ＩＣタグより情報を読み取ることが出来る。
【００１８】
第５の発明は、特に第１〜３の発明のいずれかの衣類収納庫において、少なくともひとつの動作をコンピュータに実行させるためのプログラムであり、ＣＰＵ、ＲＡＭ、ＲＯＭ、記憶装置、Ｉ／Ｏなどを備えた電気情報機器、コンピュータ等のハードリソースを協働させて本発明の一部あるいは全てをプログラムとして容易に実現することができる。また記録媒体に記録あるいは、通信回線を用いてプログラム配信することにより、プログラム配布が他の手段に比べて極めて簡単に実現できる。
【００１９】
以下、本発明の実施の形態について、図面を用いて一実施形態について詳細に説明する。なお、この実施の形態によって本発明が限定されるものではない。
【００２０】
（実施の形態１）
図１は本発明の衣類収納庫の構成一例を示す図である。
【００２１】
衣類収納庫１は、読取手段２と、制御手段３と、報知手段４と、開閉スイッチ５と、防虫剤６と、衣類２０を出し入れするための開口部７と、開口部を閉じるための扉８とを具備している。
【００２２】
防虫剤６には、無線ＩＣタグ２１ｂが添付されており、その無線ＩＣタグ２１ｂには、防虫剤６が適さない衣類素材に関する情報（禁止素材情報）が記録されており、読取手段２により禁止素材情報として読み取られる。
【００２３】
禁止素材情報とは、塩化ビニールといった素材そのものの情報に加えて、予想される現象やトラブル状況（例えば溶けてしまう危険性があること）を含んでいる。この情報が、読取手段２によって読み取られ、制御手段３が、（使用者に対して）報知するべきかどうかの判断を行なっていくことになる。
【００２４】
衣類２０にも、無線ＩＣタグ２１ａが添付され、少なくとも衣類２０の素材に関する情報（衣類素材情報）が記録されており、前述と同様に、読取手段２により衣類素材情報として読み取られる。
【００２５】
衣類素材情報とは、例えば、表面がウール製、裏地はポリエステル製、ボタンは塩化ビニール製、ジッパーは銅製であるといった構成素材に関する情報が含まれており、これ以外にも、品名、洗濯条件、製造国、製造メーカ、生産日といった情報が含まれていることもある。
【００２６】
制御手段３は、禁止素材情報と衣類素材情報とを比較解析することによって、使用者に対して報知するべきかどうか、あるいは、どのような内容で報知するべきかといった判断を行なっていくことになる。これらの処理の流れについては図２を用いて以下で述べる。
【００２７】
図２は制御手段３が行う衣類管理の動作一連の流れを示すものである。
【００２８】
制御手段３は、開閉スイッチ５からの信号により、扉８が開けられた、あるいは、閉じられたことを検知する。扉８が一旦開けられて、閉じられたという情報により、衣類収納庫１の中から衣類２０や防虫剤６が取り出された、入れられた可能性があると判断する（ステップ３１）。
【００２９】
これは、衣類の収納状況が変化する（衣類や防虫剤が収納された、あるいは取り出された）時には、必ず扉８の開閉を伴うからである。
【００３０】
制御手段３は読取手段２から、衣類２０に添付されている無線ＩＣタグ２１ａの衣類素材情報を読み取る（ステップ３２）。衣類収納庫１には無線ＩＣタグ２１ａが添付された衣類２０は２枚以上存在する可能性があるので、何度も繰り返して全ての衣類情報を読み取る（ステップ３２）。
【００３１】
同様に、制御手段３は読取手段２から、防虫剤６に添付されている無線ＩＣタグ２１ｂの禁止素材情報を読み取る（ステップ３３）。上記と同様に、衣類収納庫１には無線ＩＣタグ２１ｂが添付された防虫剤６は２個以上存在する可能性があるので、何度も繰り返し
て全ての衣類情報を読み取る（ステップ３３）。
【００３２】
さらに、制御手段３は、無線ＩＣタグ２１ａ、２１ｂより読み取った衣類素材情報と、禁止素材情報とを比較して、両者の一部またはすべてが一致するようであれば（ステップ３４）、報知手段４より報知する（ステップ３５）。
【００３３】
このときの報知内容であるが、単に異常を知らせるだけのブザー音のようなものであっても構わないが、禁止素材情報に含まれている予想される現象やトラブル状況（例えば溶けてしまう危険性があること）と共に報知して、使用者に注意を促すことが最も効果的である。この際には、音だけでなく、音声や光、振動、文字表示板の文字情報のいずれか、あるいは、それらの組み合わせにより報知することが好ましい。
【００３４】
一般に使用者は防虫剤に関する知識はほとんどなく、防虫剤を使い分けるという発想を持つ者は少ないが、ここで述べているような仕組みを衣類収納庫１に導入することで、思いもよらぬ重篤な衣類被害を回避できるようになる。
【００３５】
次に、防虫剤そのものの扱い、内容について説明しておく。
【００３６】
家庭用防虫剤には従来、パラジクロルベンゼン系、ナフタリン系、樟脳（しょうのう）系の３種類の成分が使われていたが、近年ではシート状の防虫剤が市場に出回っており、これにはピレスロイド系が使われている。したがって、現時点で市販され容易に入手可能な防虫剤は、パラジクロルベンゼン系、ナフタレン系 、樟脳系、ピレスロイド系のいずれかが主流である。
【００３７】
防虫剤から発生するガスは空気より重いので、衣料収納庫の上部に配置することが必須であり、底部に配置した場合には充分な防虫効果が期待できない。
【００３８】
また、衣料用の防虫剤は使い過ぎに気をつけるべきであり、タンスなど閉め切った空間で使用するので、多量に使う必要はなく、系統によっては無臭性でにおいがしないゆえに濃度が高くなっても気がつかず、人体に危険をおよぼしかねない。したがって、それぞれの用法を守り、過剰な使用は避けることも重要である。
【００３９】
特に、パラジクロルベンゼンはシックハウス症候群の原因物質の一つとされており、厚生労働省が室内空気濃度に関する指針値を設定しているほどで、衣類収納庫の庫外に漏れて、部屋の揮散濃度が高くなる恐れがあるので、収納方法や換気に気をつける必要がある。
【００４０】
ここまで述べてきたことであるが、防虫剤と衣類素材の組み合わせに気を使う必要があり、例えば、塩化ビニールが使用されている衣類に対して、間違ってパラジクロルベンゼン系を用いてしまうと、塩化ビニールと反応して、溶かしてしまう恐れがある。バック、ベルトなどは塩化ビニール製品が存在するので、要注意である。装飾ボタン、帯止め、スパンコール、ビーズ類などスチロール製品や、写真、合成皮革といったものにも充分気を使う必要がある。余り意識しないものであるが、装飾に用いられている金糸、銀糸、ラメ糸にも被害が及ぶので、相当な注意を払わないとトラブルに巻き込まれる恐れもある。
【００４１】
もちろん、塩化ビニールなどが使用されているのは衣類だけではなく、ひな祭り用のお雛さんを保管する際にも防虫剤を用いるが、こういった人形用に最も適しているのは、ナフタリン系である。この時に、間違ってパラジクロルベンゼン系を用いてしまうと、人形に使用されている塩化ビニールと反応、溶かしてしまう恐れがある。
【００４２】
したがって、衣類に限定せずに、虫食いの恐れがある物品すべてに、防虫剤との組み合わせによるトラブルが付きまとうという認識を持つべきであり、注意を要する。
【００４３】
これ以外にも、例えばピレスロイド系は、銅と反応し黒っぽく変色させてしまうことがあり、ひな祭り用のお雛さんに用いている屏風などの小物には銅の合金が使われているので、防虫剤の選定を間違えると、高価で大切な雛人形を台無しにしてしまうといったトラブルが予想される。
【００４４】
学生服やブレザーといった衣類でも銅（真ちゅう）製のボタンが使用されているが、これらのボタンに含まれている銅とも反応して変色させてしまうので、防虫剤は充分に注意して選択する必要がある。
【００４５】
収納されている衣類に使用されている膨大な各種素材をいちいち確認することもなく、事前に報知されるので、大切な衣類を台無しにすることを回避できるものである。
【００４６】
パラジクロルベンゼン系、ナフタレン系 、樟脳系、ピレスロイド系、それぞれの系統によって交換頻度は異なるが、早いものは一カ月に一回、点検してまめに取り換えることが望ましい。使用者の知らぬ間に防虫剤が無くなって、大切な衣類が虫に食われていたということを避けるために、防虫剤に添付されている無線ＩＣタグの情報が一旦読み取れなくなって、再度読み取れるようになった場合には、防腐剤が取り替えられたという判断をして、次の交換時期（例えば交換後１ヶ月）になれば使用者に報知するというような使い方も考えられる。
【００４７】
さらには、防虫剤に添付されている無線ＩＣタグには、それぞれ固有のシリアル番号が記録されている場合には、今まで読み取れていたシリアル番号と異なるシリアル番号が検知された時点で、防虫剤が新しいものに交換されたと判断して、前述したのと同様に、次の交換時期（例えば交換後１ヶ月）になれば使用者に報知すると言った使い方も考えられる。
【００４８】
なお、衣類を詰めこんで収納すると、衣類収納庫のなかで防虫成分が行き渡りにくく効果も半減してしまうので衣類収納は、衣類収納庫の８０％程度の容量に抑えるべきであり、衣類情報より容量を算出して、一定の容量（例えば８０％）を超えて衣類を収納しようとした時に報知するといった使い方も考えられる。
【００４９】
ここまでの説明では、読取手段２は電波を発して、その電波を受けた無線ＩＣタグ２１ａ、２１ｂは励起して情報を返答するパッシブ型の無線ＩＣタグを想定してきた。
【００５０】
また、無線ＩＣタグ２１ａ、２１ｂに書き込まれている衣類素材情報は、文字情報を想定してきたが、この限りではなく、例えば９６〜１２８ビット長のユニークなＩＤコードでもかまわない。この場合には、ＩＤコードを元にインターネット上に存在するような外部サーバ（図示せず）に、衣類２０に関する衣類素材情報や、防虫剤６に関する禁止素材情報を制御手段３が、インターネット経由（図示せず）で問い合わせることもありうる。
【００５１】
さらに無線ＩＣタグ２１ａ、２１ｂにユーザ書込み可能な記憶エリア（メモリー）が内蔵されていて、その記憶エリア（メモリー）に衣類素材や禁止素材に関する情報を書き込んで利用するといった使用方法も考えられる。
【００５２】
報知する判断基準もここで説明してきた方法に限定するわけではなく、例えば、製品の品目だけで、使用されている恐れのある素材を類推して（例えば雛人形であれば塩化ビニールが使用されている可能性があるので）、その危険性を含めて報知するといったことも
考えられる。これは、品名しかわからなかった場合に有効な手法である。
【００５３】
読取手段２は、本体以外にアンテナが接続されることもあるので、そのアンテナ配置は、収納されたすべての衣類と防虫剤に添付された無線ＩＣタグと通信可能なように考慮すべきであり、アンテナを複数個設けて、読取可能な領域（通信領域）を拡大するといったことも大変有益である。
【００５４】
また、無線ＩＣタグ２１ａ、２１ｂには上記で述べたようなパッシブ型ではなく、電池を内蔵したアクティブ型の無線ＩＣタグであっても問題はなく、同様の効果を発揮する。
【００５５】
次に、図３を用いて扉８や衣類収納庫１全体（側面パネル、背面パネル、底パネル、天井パネル）の構成について述べていく。
【００５６】
図３は、本発明の衣類収納庫の構成一例を示す図であるが、扉８や衣類収納庫１全体に電磁波遮断物質（例えば金属）が添付されている点が図１と異なる点である。
【００５７】
衣類収納庫１の庫内に収納されている衣類２０や防虫剤６に添付された無線ＩＣタグ２１ａ、２１ｂだけから情報を読み取ることが必須である。したがって、衣類収納庫１から離れた場所にある無線ＩＣタグからは情報を読み取らないようにする必要がある。
【００５８】
そのため、図３に示すように衣類収納庫１と、扉８を電磁波遮断物質（例えば金属）で構成する、あるいはそのような物質で覆って、衣類収納庫１の外部には電波が飛ばないようにすることが望ましい。
【００５９】
特に、通信距離が長いアクティブタグ型の無線ＩＣタグには非常に効果的である。また、パッシブタグ型の無線ＩＣタグであっても、特にＵＨＦ帯の無線ＩＣタグは条件によっては１０ｍ程度離れていても通信するので、このような無線ＩＣタグを用いる場合には、図３に示したような、衣類収納庫１と扉８を電磁波遮断物質で構成する、あるいは覆うことは重要である。
【００６０】
一般的に用いられる１３．５６ＭＨｚ、あるいは、２．５４ＧＨｚ帯のものであれば数十センチメートル〜数メートル以下であるが、場合によっては衣類収納庫１の庫外に存在する無線ＩＣタグを読み取ってしまうことが想定される。
【００６１】
すなわち、たとえ数十センチでしか通信できないような場合でも、衣類収納庫１のそばに存在する、まったく関係のない無線ＩＣタグ（例えば使用者が着用している衣類の無線ＩＣタグ）から情報を読み出してしまう可能性はあるので、このような場合でも前述のように電磁波遮断物質で構成することは、大変好ましい結果が期待できる。
【００６２】
当然ながら、前述のように電磁波遮断物質で構成した場合でも、扉８が開いている状態で読取手段２を動作させると、衣類収納庫１の中以外に存在する無線ＩＣタグからも情報を読み取る恐れがあるので、開閉スイッチ５を用いて、扉８がきちんと閉まっている時に読取手段２を動作させることが好ましいのはいうまでもない。
【００６３】
以上のように衣類を中心に説明してきたが、当然ながらこの限りではなく、雛人形のように衣類をまとった物品、あるいは、一部に布を用いた物品であれば、虫食い被害にあう可能性があるので、同様に問題解決できるものであり、衣類に限定していない。
【００６４】
同様に、衣類収納庫に限らず、物品収納庫であっても、雛人形のように衣類をまとった物品、あるいは、一部に布を用いた物品であれば、虫食い被害にあう可能性があるので、
同様に問題解決できるものであり、衣類収納庫に限定はしていない。
【００６５】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバ等のハードリソースを協働させるプログラムの形態で実施してもよい。プログラムの形態であれば、磁気メディアや光メディアなどの記録媒体に記録、もしくはインターネットなどの通信回線を用いて配信することで新しい機能の配布・更新やそのインストール作業が簡単にできる。
【産業上の利用可能性】
【００６６】
以上のように、本発明は、衣類によって使用してはいけない防虫剤の存在を検知して、使用者に対して報知して、未然にトラブルを防ぐことが期待できるので、より安全な衣類収納庫を提供することが期待できる。
【００６７】
また、本発明は、衣類収納庫だけでなく、衣類ハンガーなど衣類用品に読取手段、報知手段、制御手段を備えて実施することも可能である。
【図面の簡単な説明】
【００６８】
【図１】本発明の実施の形態１の衣類収納庫の構成を示す図
【図２】本発明の実施の形態１の衣類管理の動作一連のフローチャート
【図３】本発明の実施の形態１の衣類収納庫の構成を示す図
【符号の説明】
【００６９】
１  衣類収納庫
２  読取手段
３  制御手段
４  報知手段
５  開閉スイッチ
６  防虫剤
７  開口部
８  扉
２０  衣類
２１ａ  無線ＩＣタグ（衣類素材情報を備える）
２１ｂ  無線ＩＣタグ（禁止素材情報を備える）
【図１】
2008220637.tif 000003
【図２】
2008220637.tif 000004
【図３】
2008220637.tif 000005